(57)【特許請求の範囲】
【請求項１】
建物開口部における開口部枠又は障子枠等の枠体に取り付けるための取付アームと、物干し用のハンガーを吊り掛けるための吊掛アームとを有し、
上記取付アームは、その先端部に、上記枠体の一方の側面に係止させるための係止部材を有すると共に、基端部に、上記枠体の他方の側面に当接させるためのストッパーを有し、
上記吊掛アームは、上記ストッパーの位置から取付アームとは異なる方向に向けて延出し、少なくとも一部に上記ハンガーを吊り掛けるための吊掛部を有しており、
上記係止部材が、直角に連なる取付部と係止部とにより略Ｌ字形に形成されていて、該取付部が、上記取付アームの先端部に、上記基端部におけるストッパーの延出方向と平行な支軸により回転自在なるように取り付けられ、該係止部が、平板状に形成されていて、上記ストッパーと同じ側に向けて上記支軸と平行に延出している、
ことを特徴とするハンガーホルダー。
【請求項２】
上記ストッパーは短軸状をなしていて、その外周面が上記枠体の側面に当接し、該ストッパーの軸線方向の一端に上記取付アームが結合され、他端に上記吊掛アームが結合されていることを特徴とする請求項１に記載のハンガーホルダー。
【請求項３】
上記吊掛アーム及び取付アームがそれぞれ、ハンガーによる荷重が加わる方向に細長い断面形状を有していて、吊掛アームには、その先端部及び中間の複数カ所に上記吊掛部が形成されていることを特徴とする請求項１又は２に記載のハンガーホルダー。
【発明の詳細な説明】
【０００１】
【発明の属する技術分野】
本発明は、洗濯物を吊り下げた物干し用のハンガーを、日当たりの良い窓辺などに窓枠や障子枠等を利用して簡便に吊り掛けるためのハンガーホルダーに関するものである。
【０００２】
【従来の技術】
例えば、出勤などによる外出時に、洗濯物を室外に干したまま出かけることができない場合には、室内の適当な場所に干しておかなければならない。このような場合に、通常は、洗濯物を吊り下げた物干し用のハンガーを、室内にロープを張ってそれに吊り掛けたり、壁面に取り付けられた横桟やフック等に吊り掛けたりしているが、洗濯物の乾燥をできるだけ迅速かつ効率良く進行させるには、窓の内側のようなできるだけ日当たりの良い場所に吊り掛けておくのが望ましく、このため、カーテンレールを利用してそれに吊り掛けたりすることも多い。
【０００３】
ところが、このようにカーテンレールに吊り掛ける方法は、該カーテンレールが窓に近接した位置にあるため、ハンガーや洗濯物が直接カーテンや窓ガラス等に接触してそれらを傷付ることがあり、また、水を含んだ洗濯物の重さでカーテンレールが変形するなどの不都合も生じ易い。そこで、カーテンレールを利用しないでもハンガーを窓辺に簡単に吊り掛けることができる、簡便なハンガー用支持手段の出現が望まれている。
また、外出しない場合であっても、洗濯物を窓の外側にちょっとだけ吊り掛けて乾燥させたいというような場合も多く、このような場合においても、上述したようなハンガー用支持手段があれば便利である。
【０００４】
【発明が解決しようする課題】
本発明の技術的課題は、洗濯物を吊り下げた物干し用のハンガーを、日当たりの良い窓等の内側又は外側に、窓枠や障子枠等を利用して簡単かつ確実に吊り掛けることができる、手軽で簡便なハンガーホルダーを提供することにある。
【０００５】
【課題を解決するための手段】
上記課題を解決するため、本発明のハンガーホルダーは、建物開口部における開口部枠又は障子枠等の枠体に取り付けるための取付アームと、物干し用のハンガーを吊り掛けるための吊掛アームとを有し、上記取付アームは、その先端部に、上記枠体の一方の側面に係止させるための係止部材を有すると共に、基端部に、上記枠体の他方の側面に当接させるためのストッパーを有し、上記吊掛アームは、上記ストッパーの位置から取付アームとは異なる方向に向けて延出し、少なくとも一部に上記ハンガーを吊り掛けるための吊掛部を有しており、上記係止部材が、直角に連なる取付部と係止部とにより略Ｌ字形に形成されていて、該取付部が、上記取付アームの先端部に、上記基端部におけるストッパーの延出方向と平行な支軸により回転自在なるように取り付けられ、該係止部が、平板状に形成されていて、上記ストッパーと同じ側に向けて上記支軸と平行に延出していることを特徴とするものである。
【０００６】
上記構成を有する本発明のハンガーホルダーは、窓等の内側又は外側に開口部枠又は障子枠を利用して取り付け、それに物干し用のハンガーを吊り掛けるものである。即ち、それを室内側に取り付ける場合には、上記取付アームの先端の係止部材を、例えば、障子枠における室内側から見た場合の後面、換言すれば室外側の側面に係止させると共に、取付アームの基端のストッパーを上記障子枠の室内側の側面に当接させることにより、てこの原理によって、上記取付アームの先端の係止部材を力点とし、上記ストッパーを支点とした状態で上記障子枠に取り付け、力の作用点となる上記吊掛アームの先端の吊掛部に物干し用のハンガーを吊り掛ける。このハンガーホルダーは、同様にして窓の外側に取り付けることもできる。
【０００７】
かくして本発明のハンガーホルダーによれば、それを窓枠などの開口部枠又は障子枠を利用して窓辺に簡単かつ確実に取り付けることができるので、外出時に洗濯物を日当たりの良い窓の内側に干したり、必要に応じて窓の外側に干したりする場合に非常に便利である。
【０００８】
本発明の具体的な実施形態によれば、上記ストッパーは短軸状をなしていて、その外周面が上記枠体の側面に当接し、該ストッパーの軸線方向の一端に上記取付アームが結合され、他端に上記吊掛アームが結合されている。
【００１０】
本発明において好ましくは、上記吊掛アーム及び取付アームがそれぞれ、ハンガーによる荷重が加わる方向に細長い断面形状を有していて、吊掛アームには、その先端部及び中間の複数カ所に上記吊掛部が形成されていることである。
【００１１】
吊掛アーム及び取付アームをこのような断面形状とすることにより、水分を含んで重たい洗濯物を吊り掛けても破損することのないように、それらの強度を簡単な構成によって十分に高めることができ、また、複数のハンガーを吊り掛けることも可能になる。
【００１２】
【発明の実施の形態】
図１〜図４には本発明に係るハンガーホルダーの好ましい代表的な一実施形態が示されている。このハンガーホルダー１は、建物の窓や出入口などの建物開口部の内周部に取り付けられている開口部枠や、この開口部内に開閉自在に装着されている障子の周囲の障子枠等の、枠体２に取り付けるための取付アーム３と、先端部に物干し用のハンガー６を吊り掛けるための吊掛部５ａを備えた吊掛アーム４とを有している。
【００１３】
上記取付アーム３は、縦長の断面形状を有する細長い板状をなしていて、外周に補強用の外周リブ１０ａが形成されると共に、これらの外周リブ１０ａで囲まれた部分にも補強用の内側リブ１０ｂがジグザグ状に形成されている。そして、この取付アーム３の先端部には、上記開口部枠や障子枠等の枠体２の前後何れか一方の側面に係止させるための係止部材１１が設けられると共に、取付アーム３の基端部に、上記枠体２の他方の側面に当接、係止させるためのストッパー１２が設けられている。
【００１４】
上記係止部材１１は、金属板を略Ｌ字形に折り曲げることにより形成されていて、直角に連なる取付部１１ａと平板状の係止部１１ｂとを有し、このうち取付部１１ａが、上記取付アーム３の先端部の内側面に、該取付アーム３の軸線と直交する支軸１３によって回転自在なるように取り付けられ、上記係止部１１ｂは、この取付部１１ａの端部から上記ストッパー１２と同じ側に向けて上記支軸１３と平行に延出している。
【００１５】
また、上記ストッパー１２は、断面円形をした短軸状をなしていて、上記取付アーム３の基端部から該取付アーム３の軸線と直角方向、即ち、上記支軸１３と平行に延出し、その外周面で上記枠体２に当接するようになっている。そして、このストッパー１２の軸方向先端部、即ち、上記取付アーム３の基端部が結合している側とは反対側の端部から、上記吊掛アーム４が、取付アーム３の軸線と実質的に平行な面に沿って該取付アーム３とは異なる方向に向けて延出している。従って、これらの取付アーム３と吊掛アーム４との間には角度θが付けられることになるが、その角度θの好ましい大きさは、通常は１２０〜１５０度程度である。
【００１６】
上記吊掛アーム４は、上記取付アーム３と同様に、縦長の断面形状を有する細長い板状をなしていて、外周が補強用の外周リブ１０ａで取り囲まれると共に、これらの外周リブ１０ａで囲まれた部分にも補強用の内側リブ１０ｂがジグザグ状に形成されているが、上記取付アーム３よりは若干薄肉かつ長尺に形成されている。そして、この吊掛アーム４の先端部には、丸孔からなる上記吊掛部５ａが形成され、この吊掛部５ａにハンガー６が、図４に示すように吊り掛けられるようになっている。図示の例では、吊掛アーム４の中間部にも複数の丸孔からなる上記吊掛部５ｂが形成され、これらの吊掛部５ｂによって複数のハンガー６を吊り掛けられるようになっている。
なお、上記係止部材１１を除く取付アーム３と吊掛アーム４とストッパー１２とは、合成樹脂によって一体に形成されている。
【００１７】
上記構成を有するハンガーホルダー１は、窓等の内側又は外側に開口部枠又は障子枠等の枠体２を利用して取り付け、それに物干し用のハンガー６を吊り掛けるものである。即ち、図１〜図３に示すように、取付アーム３を上記枠体２の側面に斜めに沿わせた状態で、該取付アーム３の先端の係止部材１１における係止部１１ｂを枠体２の後面に係止させると共に、図４に示すように、該取付アーム３の基端のストッパー１２を、上記係止部１１ｂよりも低位置において枠体２の前面に当接させる。これによりハンガー６ホルダー１は、てこの原理によって、上記係止部１１ｂを力点とし、ストッパー１２を支点とした状態で上記枠体２に取り付けられ、吊掛アーム４が該ストッパー１２の位置から前方に向けて延出した状態となる。そこで、力の作用点となる該吊掛アーム４の先端の吊掛部５ａや中間の吊掛部５ｂに、物干し用のハンガー６を吊り掛けて干すことができる。
【００１８】
この場合、上記係止部１１ｂとストッパー１２の何れか一方又は両方には、枠体２と接触する部分に、摩擦を高めてその取り付け状態を確実かつ安定的に維持できるように、合成樹脂やゴムあるいはスポンジ体等からなる摩擦係数の大きい弾性部材１４を取り付けておくことが望ましい。
【００１９】
上記吊掛アーム４の枠体２に対する延出角度は、該吊掛アーム４と上記取付アーム３との間の角度θと、取付アーム３における上記係止部１１ｂとストッパー１２との間の距離Ｌと、上記枠体２の前後方向の枠幅Ｗとの関係によって決まるが、このうち上記角度θと距離Ｌとは一定であるため、実際には枠幅Ｗによってその延出角度が決定する。図示の例では枠幅Ｗが小さいため、吊掛アーム４はやや先下がり状に延出しているが、図５に示すように、枠体２の枠幅Ｗが図４のものより大きい場合には、係止部１１ｂとストッパー１２との上下差が小さくなって取付アーム３の傾斜が大きくなるため、吊掛アーム４は図４の場合よりは先上りの状態で延出することになる。
【００２０】
また、上記のように吊掛アーム４にハンガー６を吊り掛けた場合、該吊掛アーム４及び取付アーム３には、水分を含んで重たい洗濯物の荷重が作用するが、上述したように各アーム３，４を、洗濯物の荷重が加わる方向である縦方向に細長く形成すると共に、リブ１０ａ，１０ｂで補強した構成としておくことにより、それらの強度を、重たい洗濯物を吊り掛けても破損することのない程度に十分高めることができる。
【００２１】
上記ハンガー６ホルダー１は、上述したような障子枠だけでなく、窓枠等の開口部枠を利用しても同様に取り付けることもでき、また、上述した態様で窓の外側に向けて取り付けることもできることは勿論である。
【００２２】
かくして上記ハンガー６ホルダー１は、フックやねじ等を一切使用することなく、取付アーム３の両端の係止部１１ｂとストッパー１２とを、てこの原理を利用して枠体２の前後両面に単に当接、係止させるだけで、該枠体２の任意の位置に簡単かつ確実に取り付けることができる。
【００２３】
なお、上記実施例では、上記取付アーム３と吊掛アーム４とが、ストッパー１２の軸方向両端部の離れた位置に設けられているが、上記吊掛アーム４は、ストッパー１２のもう少し取付アーム３側に寄った位置に設けても良く、あるいは、取付アーム３と同じ面内に位置するように設けることもできる。
【００２４】
【発明の効果】
以上に詳述したように、本発明のハンガーホルダーによれば、洗濯物を吊り下げた物干し用のハンガーを、日当たりの良い窓等の内側又は外側に、窓枠や障子枠等を利用して簡単かつ確実に吊り掛けることができる。
【図面の簡単な説明】
【図１】本発明に係るハンガーホルダーの取付直前の状態を示す側面図である。
【図２】図１の平面図である。
【図３】図１の正面図である。
【図４】図１のハンガーホルダーの使用状態の一例を示す側面図である。
【図５】図１のハンガーホルダーの使用状態の他例を示す側面図である。
【符号の説明】
１      ハンガーホルダー
２      枠体
３      取付アーム
４      吊掛アーム
５ａ，５ｂ      吊掛部
６      ハンガー
１１      係止部材
１１ａ      取付部
１１ｂ      係止部
１２      ストッパー
１３      支軸
【図１】
0004677143.tif 000002
【図２】
0004677143.tif 000003
【図３】
0004677143.tif 000004
【図４】
0004677143.tif 000005
【図５】
0004677143.tif 000006